(57)【要約】【課題】広告内容についての選別ステップを設けることなく、簡便にローコストで広告の作成及び掲載を実現することが可能な広告作成方法を提供する。【解決手段】項目選択手段は、広告の作成を希望するユーザの意向に基づいて、広告を構成する項目毎に検閲済の素材情報を選択する。そして、広告情報作成手段は、項目選択手段により選択された素材情報のみを含む広告情報を作成する。これによれば、広告掲載前に広告内容を選別する人為的なステップを設けることなく、ローコストで容易に全年齢向けの広告を作成することができる。【選択図】図１５
2008234303.tif 000002
【特許請求の範囲】
【請求項１】
予め検閲された素材情報を記憶する素材情報記憶手段と、
広告を構成する項目毎に前記素材情報を選択する項目選択手段と、
前記項目選択手段により選択された素材情報のみを含む広告情報を作成する広告情報作成手段と、を備えることを特徴とする広告作成装置。
【請求項２】
前記広告情報作成手段により作成された広告情報に基づいて、前記広告を表示する広告表示手段をさらに備えることを特徴とする請求項１に記載の広告作成装置。
【請求項３】
前記広告は、商品の購買に関するオプション項目を有しており、
前記素材情報は、前記商品の購買に関する情報であって、
前記項目選択手段は、前記オプション項目に対応する素材情報を選択することを特徴とする請求項１又は２に記載の広告作成装置。
【請求項４】
前記広告は、広告アイコンを表示するアイコン項目を有しており、
前記素材情報は、前記広告アイコンであって、
前記項目選択手段は、前記アイコン項目に対応する素材情報を選択することを特徴とする請求項１乃至３のいずれか一項に記載の広告作成装置。
【請求項５】
前記広告表示手段は、
前記広告情報に基づいて、前記アイコン項目に対応する素材情報を表示する第１表示手段と、
前記広告アイコンが指定されたか否かを判定する判定手段と、
前記判定手段により前記広告アイコンが指定されたと判定された場合、前記広告情報に基づいて、前記広告を構成するアイコン項目以外の項目にそれぞれ対応する素材情報を表示する第２表示手段と、を備えることを特徴とする請求項４に記載の広告作成装置。
【請求項６】
施設を含む地図を表示するための地図情報を記憶する地図情報記憶手段と、
前記地図情報に基づいて前記地図を表示する地図表示手段と、
前記施設と、当該施設の前記地図上の位置とを対応付けた施設情報を記憶する施設情報記憶手段と、
前記施設と、前記広告情報作成手段により作成された広告情報とを対応付けて記憶する広告情報記憶手段と、
前記施設情報に基づいて、前記地図上でユーザにより指定された施設を特定する施設特定手段と、
前記広告情報記憶手段から、前記施設特定手段により特定された施設に対応する広告情報を抽出する広告情報抽出手段と、をさらに備え、
前記広告表示手段は、前記広告情報抽出手段により抽出された広告情報に基づき、前記地図上でユーザにより指定された施設と関連付けて、前記広告を表示することを特徴とする請求項２乃至５のいずれか一項に記載の広告作成装置。
【請求項７】
予め検閲された素材情報を記憶する素材情報記憶工程と、
広告を構成する項目毎に前記素材情報を選択する項目選択工程と、
前記項目選択工程により選択された素材情報のみを含む広告情報を作成する広告情報作成工程と、を備えることを特徴とする広告作成方法。
【請求項８】
コンピュータ上で実行される広告作成プログラムであって、
予め検閲された素材情報を記憶する素材情報記憶手段、
広告を構成する項目毎に前記素材情報を選択する項目選択手段、
前記項目選択手段により選択された素材情報のみを含む広告情報を作成する広告情報作成手段、として前記コンピュータを機能させることを特徴とする広告作成プログラム。
【請求項９】
請求項８に記載の広告作成プログラムを記録したことを特徴とする記録媒体。
【請求項１０】
ユーザが使用する端末装置及び前記端末装置と通信可能な広告作成装置を有する広告作成システムであって、
前記端末装置は、
前記広告作成装置から、予め検閲された素材情報を取得する素材情報取得手段と、
広告を構成する項目毎に前記素材情報を選択する項目選択手段と、
前記項目選択手段が選択した素材情報を、項目選択情報として前記広告作成装置に送信する項目選択情報送信手段と、を備え、
前記広告作成装置は、
前記素材情報を記憶する素材情報記憶手段と、
前記端末装置へ前記素材情報を送信する素材情報送信手段と、
前記端末装置から前記項目選択情報を取得する項目選択情報取得手段と、
前記項目選択情報に含まれる素材情報のみを含む広告情報を作成する広告情報作成手段と、を備えることを特徴とする広告作成システム。
【発明の詳細な説明】
【技術分野】
【０００１】
本発明は、広告を作成する方法に関する。
【背景技術】
【０００２】
現在、Ｗｅｂ上には種々の広告が掲載されている。Ｗｅｂを利用した広告作成システムの一例としては、広告を掲載したいユーザが自分のＰＣ（Personal Computer）から広告掲載サイトにアクセスし、画面上で広告を作成するシステムが挙げられる。このような広告作成システムによれば、ユーザは、簡便に広告の作成及び掲載を実現することができる。さらに、広告を掲載したいユーザが広告内容を自由に作成して掲載することができるという利点がある。
【０００３】
しかし、このような利点の一方で、従来の広告作成システムでは、いかがわしい広告をもユーザが自由に作成することができるため、望ましくない広告（例えば、子供が見るにはふさわしくない広告）が掲載されてしまうという問題が発生していた。
【０００４】
この問題を解消するため、広告掲載サイトの運営者は、広告原稿を受理した段階や広告掲載前の段階で、広告原稿内容や広告内容について掲載してよいか否かの基準で選別を行っている（例えば、特許文献１乃至３）。換言すると、広告掲載サイト運営者は、望ましくない広告が掲載されないように、広告原稿内容や広告内容について掲載してよいか否かの基準で選別する選別ステップを設けなければならなかった。
【０００５】
【特許文献１】特許第３６８７９５４号公報
【特許文献２】特開２００１−２２８４０号公報
【特許文献３】特開２００２−１５００６号公報
【発明の開示】
【発明が解決しようとする課題】
【０００６】
しかし、このような選別ステップを設けることで、選別ステップを運用するためのコストが必要になるという新たな問題が発生する。
【０００７】
本発明が解決しようとする課題としては、上記のものが例として挙げられる。本発明は、広告内容についての選別ステップを設けることなく、簡便にローコストで広告の作成及び掲載を実現することが可能な広告作成方法を提供することを目的とする。
【課題を解決するための手段】
【０００８】
請求項１に記載の発明は、広告作成装置であって、予め検閲された素材情報を記憶する素材情報記憶手段と、広告を構成する項目毎に前記素材情報を選択する項目選択手段と、前記項目選択手段により選択された素材情報のみを含む広告情報を作成する広告情報作成手段と、を備える。
【０００９】
請求項７に記載の発明は、広告作成方法であって、予め検閲された素材情報を記憶する素材情報記憶工程と、広告を構成する項目毎に前記素材情報を選択する項目選択工程と、前記項目選択工程により選択された素材情報のみを含む広告情報を作成する広告情報作成工程と、を備える。
【００１０】
請求項８に記載の発明は、コンピュータ上で実行される広告作成プログラムであって、予め検閲された素材情報を記憶する素材情報記憶手段、広告を構成する項目毎に前記素材情報を選択する項目選択手段、前記項目選択手段により選択された素材情報のみを含む広告情報を作成する広告情報作成手段、として前記コンピュータを機能させる。
【００１１】
請求項１０に記載の発明は、ユーザが使用する端末装置及び前記端末装置と通信可能な広告作成装置を有する広告作成システムであって、前記端末装置は、前記広告作成装置から、予め検閲された素材情報を取得する素材情報取得手段と、広告を構成する項目毎に前記素材情報を選択する項目選択手段と、前記項目選択手段が選択した素材情報を、項目選択情報として前記広告作成装置に送信する項目選択情報送信手段と、を備え、前記広告作成装置は、前記素材情報を記憶する素材情報記憶手段と、前記端末装置へ前記素材情報を送信する素材情報送信手段と、前記端末装置から前記項目選択情報を取得する項目選択情報取得手段と、前記項目選択情報に含まれる素材情報のみを含む広告情報を作成する広告情報作成手段と、を備える。
【発明を実施するための最良の形態】
【００１２】
本発明の１つの観点では、予め検閲された素材情報を記憶する素材情報記憶手段と、広告を構成する項目毎に前記素材情報を選択する項目選択手段と、前記項目選択手段により選択された素材情報のみを含む広告情報を作成する広告情報作成手段と、を備える。
【００１３】
上記の広告作成装置において素材情報記憶手段は、予め検閲された素材情報を記憶している。予め検閲された情報とは、望ましくない内容を排除した情報のことである。項目選択手段は、広告の作成を希望するユーザの意向に基づいて、広告を構成する項目毎に素材情報を選択する。そして、広告情報作成手段は、項目選択手段により選択された素材情報のみを含む広告情報を作成する。このように、検閲済の素材情報のみから構成される広告情報によれば、望ましくない広告が表示されることはない。よって、広告掲載前に広告内容を選別する人為的なステップを設けることなく、ローコストで容易に全年齢向けの広告を作成することができる。
【００１４】
上記広告作成装置の一態様では、前記広告情報作成手段により作成された広告情報に基づいて、前記広告を表示する広告表示手段をさらに備える。これによれば、広告掲載前に広告内容を選別するステップが不要となるため、広告の作成及び掲載を希望するユーザによって任意に選択された情報からなる広告情報に基づいて、迅速に広告を表示することが可能となる。
【００１５】
上記広告作成装置の他の一態様では、前記広告は、商品の購買に関するオプション項目を有しており、前記素材情報は、前記商品の購買に関する情報であって、前記項目選択手段は、前記オプション項目に対応する素材情報を選択する。これによれば、広告の作成及び掲載を希望するユーザの意向に基づいて、広告に関連する商品の単なる情報のみではなく、当該商品を購買する際のオプションを広告に含めることが可能となる。よって、閲覧するユーザの関心を惹く広告を作成することが可能となる。
【００１６】
上記広告作成装置の他の一態様では、前記広告は、広告アイコンを表示するアイコン項目を有しており、前記素材情報は、前記広告アイコンであって、前記項目選択手段は、前記アイコン項目に対応する素材情報を選択する。これによれば、広告の作成及び掲載を希望するユーザの意向に基づいて、広告に関連する商品の単なる情報のみではなく、商品の画像や商品をイメージさせる絵をアイコンとして広告に含めることができる。また、予め用意された検閲済の広告アイコンによって広告情報を作成するため、デザインの統一が容易に可能である。よって、広告イメージの統一を図ることができ、閲覧するユーザが興味を惹かれやすい広告を作成することが可能となる。
【００１７】
上記広告作成装置の他の一態様では、前記広告表示手段は、前記広告情報に基づいて、前記アイコン項目に対応する素材情報を表示する第１表示手段と、前記広告アイコンが指定されたか否かを判定する判定手段と、前記判定手段により前記広告アイコンが指定されたと判定された場合、前記広告情報に基づいて、前記広告を構成するアイコン項目以外の項目にそれぞれ対応する素材情報を表示する第２表示手段と、を備える。これによれば、表示されている広告アイコンが指定された場合に、広告情報に基づいて、広告アイコン以外の詳細な情報を表示することができる。よって、閲覧するユーザは、広告アイコンによって容易にどのような広告が表示されているかを把握することができると共に、広告アイコンを指定することで興味を惹いた広告の詳細な情報を確認することができる。また、はじめから広告の全てを表示するのではなく、広告アイコンのみを表示することで、画面上に情報があふれて見にくいといった問題を解消することができる。
【００１８】
上記広告作成装置の他の一態様では、施設を含む地図を表示するための地図情報を記憶する地図情報記憶手段と、前記地図情報に基づいて前記地図を表示する地図表示手段と、前記施設と、当該施設の前記地図上の位置とを対応付けた施設情報を記憶する施設情報記憶手段と、前記施設と、前記広告情報作成手段により作成された広告情報とを対応付けて記憶する広告情報記憶手段と、前記施設情報に基づいて、前記地図上でユーザにより指定された施設を特定する施設特定手段と、前記広告情報記憶手段から、前記施設特定手段により特定された施設に対応する広告情報を抽出する広告情報抽出手段と、をさらに備え、前記広告表示手段は、前記広告情報抽出手段により抽出された広告情報に基づき、前記地図上でユーザにより指定された施設と関連付けて、前記広告を表示する。
【００１９】
上記の広告作成装置は、地図情報記憶手段及び施設情報記憶手段により、施設を含む地図を表示するための地図情報と、施設及びその施設の位置を対応付けた施設情報とを記憶している。また、広告情報記憶手段により、施設及びその施設に関連する広告情報を対応付けて記憶している。施設特定手段は、広告を閲覧するユーザにより、地図上で指定された施設を特定する。さらに、広告情報抽出手段は、特定した施設に対応する広告情報を広告情報記憶手段から抽出する。そして、広告表示手段は、抽出した広告情報に基づいて、特定した施設に関連付けて広告を表示する。これによれば、地図上の施設に関連付けて広告を表示することができる。よって、広告を閲覧するユーザは、地図上で施設を指定するだけで容易に、当該施設の広告を閲覧することが可能となる。
【００２０】
本発明の別の観点では、広告作成方法であって、予め検閲された素材情報を記憶する素材情報記憶工程と、広告を構成する項目毎に前記素材情報を選択する項目選択工程と、前記項目選択工程により選択された素材情報のみを含む広告情報を作成する広告情報作成工程と、を備えるこのような広告作成方法によっても、広告掲載前に広告内容を選別する人為的なステップを設けることなく、ローコストで容易に全年齢向けの広告を作成することが可能である。
【００２１】
本発明の別の観点では、コンピュータ上で実行される広告作成プログラムであって、予め検閲された素材情報を記憶する素材情報記憶手段、広告を構成する項目毎に前記素材情報を選択する項目選択手段、前記項目選択手段により選択された素材情報のみを含む広告情報を作成する広告情報作成手段、として前記コンピュータを機能させる。このような広告作成プログラムをコンピュータ上で実行することによっても、広告掲載前に広告内容を選別する人為的なステップを設けることなく、ローコストで容易に全年齢向けの広告を作成することが可能である。なお、この広告作成プログラムは、記録媒体に記録した状態で好適に取り扱うことができる。
【００２２】
本発明のさらに別の観点では、ユーザが使用する端末装置及び前記端末装置と通信可能な広告作成装置を有する広告作成システムであって、前記端末装置は、前記広告作成装置から、予め検閲された素材情報を取得する素材情報取得手段と、広告を構成する項目毎に前記素材情報を選択する項目選択手段と、前記項目選択手段が選択した素材情報を、項目選択情報として前記広告作成装置に送信する項目選択情報送信手段と、を備え、前記広告作成装置は、前記素材情報を記憶する素材情報記憶手段と、前記端末装置へ前記素材情報を送信する素材情報送信手段と、前記端末装置から前記項目選択情報を取得する項目選択情報取得手段と、前記項目選択情報に含まれる素材情報のみを含む広告情報を作成する広告情報作成手段と、を備えることを特徴とする広告作成システム。
【００２３】
上記の広告作成システムは、相互に通信可能な端末装置及び広告作成装置から構成されている。ここで、端末装置は、ユーザが使用するクライアント端末であって、例えばＰＣ（Personal Computer）や携帯電話等である。一方、広告作成装置は、広告を掲載するサービスを提供するサーバである。広告作成装置の素材情報送信手段は、予め記憶している検閲済の素材情報を端末装置へ送信する。ユーザは、端末装置を使用して所定の操作により、素材情報取得手段が取得した素材情報から、広告を構成する項目毎に素材情報を選択する。端末装置の項目選択情報送信手段は、項目毎にユーザにより選択された素材情報を項目選択情報として広告作成装置に送信する。広告作成装置の広告情報作成手段は、端末装置から取得した項目選択情報に含まれる素材情報のみからなる広告情報を作成する。これによれば、広告掲載前に広告内容を選別する人為的なステップを設けることなく、ローコストで容易に全年齢向けの広告を作成することが可能となる。
【実施例】
【００２４】
以下、図面を参照して本発明の好適な実施例について説明する。
【００２５】
[広告作成システム]
図１は、本発明の実施例における広告作成システム１００の概略構成を示す。図１に示す広告作成システム１００は、予め検閲された素材情報のみによって広告情報を作成することで、広告内容についての選別ステップを設けることなく、簡便にローコストで広告の作成及び掲載を実現することが可能なシステムである。
【００２６】
図１に示すように、広告作成システム１００は、端末装置１ａ及び１ｂと、サーバ３とがネットワーク２を通じて接続されることにより構成される。ここで、ネットワーク２の１つの好適な例はインターネットである。
【００２７】
端末装置１ａは、広告の作成及び掲載を希望するユーザが使用するクライアント端末である。具体的に、広告の作成及び掲載を希望するユーザは、端末装置１ａを使用して、画面に表示された地図上で施設を指定し、当該施設に関連する広告を作成するために、広告作成画面によって予め検閲された素材情報を選択する。
【００２８】
一方、端末装置１ｂは、広告を閲覧するユーザが使用するクライアント端末である。具体的に、広告を閲覧するユーザは、端末装置１ｂを使用して、画面に表示された地図上で施設を指定し、当該施設に関連する広告を閲覧する。また、広告を閲覧するユーザは、閲覧している広告のオプションを指定することで、商品の購買やクーポンの入手等を行う。
【００２９】
端末装置１ａ及び１ｂを総称して端末装置１と呼ぶ。端末装置１は、サーバ３との通信、地図の表示、マウス等を利用した地図上の施設の指定が可能であれば、ＰＣ（Personal Computer）や携帯電話等、任意の端末装置を適用することができる。
【００３０】
なお、本実施例では、便宜上、図１に示すように、広告の作成及び掲載を希望するユーザが使用する端末装置１ａと、広告を閲覧するユーザが使用する端末装置１ｂとを分け、それぞれ１つずつとしている。しかし、本発明はこれに限定されるものではなく、サーバ３と通信可能に接続される端末装置１ａ及び１ｂは複数であってもよい。また、広告を閲覧するユーザが広告の作成及び掲載をすることとしてもよいし、広告の作成及び掲載をするユーザが広告を閲覧することとしてもよい。つまり、サーバ３と通信可能に接続された端末装置１は複数であってもよく、複数のユーザが各端末装置１を使用して広告の作成、掲載及び閲覧を実現することができる。
【００３１】
サーバ３は、広告の作成及び掲載を希望するユーザが、地図上で指定した施設に関する情報と、当該施設に関連する広告を作成するために選択した素材情報とを、端末装置１ａから取得する。そして、サーバ３は、端末装置１ａから取得した情報に基づいて、施設に関連する広告情報を作成し、記憶する。
【００３２】
また、サーバ３は、広告を閲覧するユーザが、地図上で指定した施設に関する情報を端末装置１ｂから取得する。そして、サーバ３は、ユーザにより指定された施設に関連する広告情報を端末装置１ｂに送信し、地図上で当該施設と関連付けて広告を表示させる。
【００３３】
[サーバ]
ここで、図２を参照し、サーバ３の構成について詳しく説明する。図２は、本発明の実施例におけるサーバ３の構成を示す。
【００３４】
サーバ３は、例えばサーバコンピュータにより構成され、システムバス１１と、ＣＰＵ（Central Processing Unit）１２と、メモリ１３と、キーボード１４と、マウスなどの座標指示デバイス１５と、ディスプレイ１６と、データ通信ユニット１７と、データベース１８とを備える。
【００３５】
ここで、キーボード１４及び座標指示デバイス１５は、入力装置である。また、ディスプレイ１６は、出力装置である。データ通信ユニット１７は、ＣＰＵ１２により供給されるメモリ１３内やデータベース１８内の所定のデータを端末装置１へ送信する。データ通信ユニット１７による送信は、ＵＳＢケーブルを使用した有線送信、端子などの接触によるデータ送信など、データ通信ユニット１７から端末装置１へデータ送信が可能であれば、任意の方法を適用することができる。ＣＰＵ１２は、サーバ３全体の制御を行う。
【００３６】
ＣＰＵ１２、メモリ１３、データ通信ユニット１７、データベース１８は、システムバス１１に接続される。キーボード１４、座標指示デバイス１５、ディスプレイ１６も図示しないインタフェースを介してシステムバス１１に接続される。メモリ１３は、作業メモリとしても使用される。
【００３７】
[広告作成ユニット]
図３は、広告の作成及び掲載を希望するユーザが選択した素材情報のみからなる広告情報を作成し、当該広告情報に基づいて広告を表示する広告作成ユニット２００の機能ブロック図である。広告作成ユニット２００は、実態的には、サーバ３の構成要素により構成される。つまり、本実施例においてサーバ３は、広告作成ユニット２００が搭載された広告作成装置として機能する。
【００３８】
図３に示すように、広告掲載ユニット２００は、広告作成用情報記憶部２０１、地図表示部２０２、広告作成施設特定部２０３、広告入力画面表示部２０４、項目選択部２０５、広告情報作成部２０６、広告情報記憶部２０７、広告表示施設特定部２０８、広告表示部２０９、オプション特定部２１０及びオプション処理実行部２１１を備える。
【００３９】
広告作成用情報記憶部２０１は、広告を作成するために必要な情報を記憶する。具体的に、本実施例において広告作成用情報記憶部２０１は、地図情報、施設情報、ＪＡＮコード情報及びリスト情報を記憶している。
【００４０】
地図情報は、端末装置１の画面上に施設を含む地図を表示させるために必要なデータであって、画像データ等が含まれている。
【００４１】
施設情報は、地図に含まれる施設に関する情報である。図４は、施設情報のデータ構造を模式的に示す図である。図４に示すように、施設情報は、施設ＩＤ、施設名、位置座標、施設アイコン等から構成されている。施設ＩＤは、地図上の施設を識別する情報である。施設名は、「おもちゃ屋Ａ」「魚屋Ｂ」といった施設の名称である。位置座標は、地図上における施設の位置を示す緯度及び経度である。施設アイコンは、地図上で施設の位置に表示されるアイコンである。施設アイコンは、各施設が取り扱う商品によってデザインが異なる。例えば、取り扱う商品が魚である施設名「魚屋Ｂ」の場合はアイコン上に魚の絵や魚の文字がデザインされている。なお、本実施例において施設情報は、予め登録されているものとする。
【００４２】
ＪＡＮコード情報は、ＪＡＮコードをキーとした商品に関する情報である。図５は、ＪＡＮコード情報のデータ構造を模式的に示す図である。図５に示すように、ＪＡＮコード情報は、ＪＡＮコード、商品名、会社名、広告アイコン等から構成されている。ＪＡＮコードに対応付ける情報は任意に設定することとしてもよい。ＪＡＮコードは、日本国内で流通している商品を識別する規格化された商品識別コードである。商品名は、ＪＡＮコードに対応する商品の名称である。会社名は、ＪＡＮコードに対応する商品の製造元や販売元の会社名である。広告アイコンは、ＪＡＮコードに対応する商品を示すアイコンであって、広告の一部として掲載される。
【００４３】
なお、本実施例においてＪＡＮコード情報は、広告作成用情報記憶部２０１により記憶されることとしているが、本発明はこれに限定されるものではなく、他のサーバ等が記憶しているＪＡＮコード情報を利用することとしてもよい。また、本実施例においてＪＡＮコード情報は、ＪＡＮコードに対応する広告アイコンを保有することとしているが、本発明はこれに限定されるものではなく、広告アイコンを保有していなくてもよい。また、本実施例ではＪＡＮコード及びＪＡＮコード情報を適用することとしているが、本発明はこれに限定されるものではなく、商品を識別するコード及び当該コードに商品名や会社名が対応付けられた検閲済の情報であれば任意のコード及び情報を適用することができる。
【００４４】
リスト情報は、既に検閲済の素材情報の集合体である。検閲済の素材情報とは、望ましくない内容を排除した情報のことである。即ち、検閲済の素材情報のみから構成される広告情報によれば、望ましくない広告が表示されることはない。図６は、リスト情報を説明する図である。
【００４５】
図６に示すように、リスト情報は、商品名リスト情報、会社・店名リスト情報、用語リスト情報、オプションリスト情報、アイコンリスト情報等を有している。商品名リスト情報は、既に検閲済の商品名のリストである。会社・店名リスト情報は、既に検閲済の会社名及び店名のリストである。用語リスト情報は、既に検閲済の用語のリストであって、用語としては例えば「タイムセールス！」、「新製品！」、「お買い得！」等任意に設定することができる。オプションリスト情報は、既に検閲済のオプションのリストである。オプションとは、広告に関連する商品の購買に関する情報であって、例えば「クーポンのメール送信」、「注文する」等任意に設定することができる。アイコンリスト情報は、既に検閲済の広告アイコンのリストである。広告アイコンは、広告に関連する商品の画像や商品をイメージさせる絵など任意に設定することができる。
【００４６】
本実施例では、各リスト情報に含まれる既に検閲済の商品名、会社・店名、用語、オプション、広告アイコンを総称して「素材情報」と呼ぶ。また、本実施例において各リスト情報は、広告を構成する項目毎に予め用意されている。具体的に、商品名リスト情報、会社・店名リスト情報、用語リスト情報、オプションリスト情報及びアイコンリスト情報は、それぞれ商品名項目、会社・店名項目、用語項目、オプション項目及びアイコン項目に予め対応付けて用意されている。
【００４７】
なお、本実施例においてリスト情報は、商品名リスト情報、会社・店名リスト情報、用語リスト情報、オプションリスト情報、アイコンリスト情報等を有することとしているが、本発明はこれに限定されるものではなく、既に検閲済の素材情報が用意されていれば、素材情報の集合体であるリスト情報の構成は任意に設定することが可能である。
【００４８】
広告作成用情報記憶部２０１は、本発明における素材情報記憶手段、地図情報記憶手段、施設情報記憶手段として機能する。また、広告作成用情報記憶部２０１は、図２に示すデータベース１８内に構成することができる。
【００４９】
地図表示部２０２は、端末装置１からの地図表示の要求を取得した場合に、広告作成用情報記憶部２０１により記憶されている地図情報を送信することで、図７に示すように、端末装置１の画面に地図を表示させる。このとき、地図表示部２０２は、施設情報に基づいて、図示のように、地図上の施設の位置に施設アイコンを表示させることとしてもよい。図７は、端末装置１の画面上に表示される地図の例である。地図表示部２０２は、本発明における地図表示手段として機能する。
【００５０】
広告作成施設特定部２０３は、端末装置１ａから、広告の作成及び掲載を希望するユーザが地図上で指定した施設を特定する情報を広告作成施設指定情報として取得する。そして、広告作成施設特定部２０３は、ユーザが指定した広告作成施設を特定する。本実施例において広告作成施設指定情報には、施設ＩＤが含まれているものとするが、本発明はこれに限定されるものではなく、広告作成施設指定情報にユーザが指定した施設の位置座標が含まれており、当該位置座標に基づいて施設情報を参照することで広告作成施設を特定することとしてもよい。
【００５１】
広告入力画面表示部２０４は、広告入力画面の表示要求を取得した場合に、端末装置１ａの地図上で広告作成施設特定部２０３により特定された広告作成施設と関連付けて、図８に示すような広告入力画面４００を表示させる。図８は、広告入力画面の表示例である。
【００５２】
図８に示すように、広告入力画面４００は、商品名項目３０、会社・店名項目３１、用語項目３２、オプション項目３３、価格項目３４、アイコン項目３５、コード入力ボタン４０、リスト入力ボタン４１、ＪＡＮコード入力項目４２及び価格入力項目４３を有する。商品名項目３０、会社・店名項目３１、用語項目３２、オプション項目３３、格項目３４及びアイコン項目３５は、上述したように広告を構成する項目であって、項目毎に予め用意されたリスト情報からユーザが選択した素材情報が表示される項目である。
【００５３】
端末装置１ａを使用するユーザにより、広告入力画面４００においてリスト入力ボタン４１が選択された場合、広告入力画面表示部２０４は、広告作成用情報記憶部２０１により記憶されているリスト情報を端末装置１ａへ送信する。具体的に、広告入力画面表示部２０４は、広告入力画面４００においてユーザにより商品名項目３０が指定されたという情報を取得すると、予め商品名項目３０に対応付けされた商品名リスト情報を送信し、図９に示すように、端末装置１ａの画面に商品名リスト情報４１０を表示させる。図９は、商品名リスト情報の表示例である。同様に、広告入力画面表示部２０４は、広告入力画面４００においてユーザにより会社・店名項目３１、用語項目３２、オプション項目３３及びアイコン項目３５が指定されたという情報を取得すると、会社・店名リスト情報、用語リスト情報、オプションリスト情報及びアイコンリスト情報を送信し、端末装置１ａの画面に表示させる。
【００５４】
なお、ユーザによりリスト情報の中から任意の素材情報が選択されると、広告入力画面表示部２０４は、図１０に示すように選択された素材情報を各項目に対応付けた広告入力画面４００を表示する。即ち、ユーザによりリスト情報から選択された素材情報を、広告入力画面４００の各項目に表示する。図１０は、ユーザにより選択された素材情報を各項目に対応付けた広告入力画面の表示例である。
【００５５】
項目選択部２０５は、端末装置１ａから、広告入力画面４００を利用してユーザにより指定された項目と、選択された素材情報とを関連付けた項目選択情報を取得する。そして、項目選択部２０５は、項目選択情報に基づいて、広告作成用情報記憶部２０１により記憶されているリスト情報から各項目に対応する素材情報を選択する。項目選択部２０５は、本発明における項目選択手段として機能する。
【００５６】
広告情報作成部２０６は、項目選択部２０５により選択された素材情報のみに基づいて、掲載する広告の基になる広告情報を作成する。具体的に、本実施例における広告は、商品名項目、会社・店名項目、用語項目、オプション項目等により構成されているため、広告情報は、商品名、会社・店名、用語、オプション等を示す素材情報を有している。広告情報作成部２０６は、本発明の広告情報作成手段として機能する。
【００５７】
本実施例において広告情報作成部２０６は、項目選択部２０５が項目選択情報に基づいてリスト情報から選択した素材情報により広告情報を作成することとしている。これによれば、項目選択情報に素材情報自体ではなく、素材情報を識別する情報が含まれている場合であっても広告情報を作成することができる。しかし、本発明はこれに限定されるものではなく、項目選択情報に素材情報が含まれている場合、広告情報作成部２０６は、項目選択情報に含まれる素材情報により広告情報を作成することとしてもよい。
【００５８】
なお、広告の表示及び掲載を希望するユーザにより、広告入力画面４００において価格入力項目４３に価格を示す数字が入力された場合、広告情報作成手段２０６は、価格入力項目４３に入力された情報を取得し、価格を特定する。特定した価格は、価格項目３４に表示され、広告情報に含まれる。価格は通常数字のみから構成されており、数字によって望ましくない広告を作成することは考えにくいことから、このように数字のみ入力可能としてもよい。
【００５９】
また、広告の表示及び掲載を希望するユーザによってコード入力ボタン４０が選択され、図１１に示すように、ＪＡＮコード項目４２にＪＡＮコードが入力された場合、広告情報作成部２０６は、ＪＡＮコード項目４２に入力された情報を取得し、特定したＪＡＮコードに基づいて、広告作成用情報記憶部２０１により記憶されたＪＡＮコード情報を参照する。そして、広告情報作成部２０６は、特定したＪＡＮコードに対応する商品名、会社・店名、広告アイコン等を特定し、広告情報を作成する。このようにＪＡＮコード入力により、リスト情報から商品名や会社・店名を示す素材情報を選択するステップを省略することとしてもよい。図１１は、ＪＡＮコードが入力された広告入力画面の表示例である。
【００６０】
ユーザにより価格やＪＡＮコードが入力された場合、広告入力画面表示部２０４は、図１２に示すように、広告情報作成部２０６により特定された情報を各項目に対応付けた広告入力画面４００を表示する。即ち、広告情報作成部２０６により特定された情報を、広告入力画面４００の各項目に表示する。図１２は、ＪＡＮコードに基づいて特定された情報を各項目に対応付けた広告入力画面の例である。
【００６１】
広告情報記憶部２０７は、広告作成施設特定部２０３により特定された広告作成施設と、広告情報作成部２０６により作成された広告情報とを対応付けて記憶する。図１３は、広告情報記憶部２０７により記憶される情報のデータ構造を模式的に示す図である。図１３に示すように、広告情報記憶部２０７は、広告作成施設特定部２０３により特定された広告作成施設の施設ＩＤ及び施設名と、商品名、価格、会社・店名、広告アイコン、用語、オプション等を示す素材情報を含む広告情報とを対応付けて記憶する。広告情報記憶部２０７は、本発明における広告情報記憶手段として機能する。
【００６２】
なお、本実施例において広告は、商品名項目、会社・店名項目、広告アイコン項目、用語項目、オプション項目等から構成されており、商品名、会社・店名、用語、オプション等を示す素材情報を含む広告情報を作成することとしている。しかし、本発明はこれに限定されるものではなく、広告の構成要素となる項目及び広告情報に含まれる素材情報は任意に設定することができる。広告情報に含まれる素材情報としては、例えば他に、「産地」、「数量」、「注文の待ち時間」を示す情報等が挙げられる。
【００６３】
広告表示施設特定部２０８は、端末装置１ｂから、広告を閲覧するユーザが地図上で指定した施設を特定する情報を広告表示施設指定情報として取得し、ユーザが指定した施設を広告表示施設として特定する。本実施例において広告表示施設指定情報には、施設ＩＤが含まれているものとするが、本発明はこれに限定されるものではなく、広告表示施設指定情報にユーザが指定した施設の位置座標が含まれており、当該位置座標に基づいて施設情報を参照することで広告表示施設を特定することとしてもよい。広告表示施設特定部２０８は、本発明における施設特定手段として機能する。
【００６４】
広告表示部２０９は、広告情報記憶部２０７から、広告表示施設特定部２０８により特定された広告表示施設に対応する広告情報を抽出する。そして、広告表示部２０９は、抽出した広告情報を端末装置１ｂに送信することで、図１４に示すように、端末装置１ｂの画面の地図上で広告表示施設と関連付けて広告５００を表示させる。図１４は、広告の表示例である。図示のように、広告は、広告アイコン、商品名、会社・店名、オプション等を示す素材情報から構成されている。また、図示のように、広告表示部２０９は、広告表示施設に対応付けられた全ての広告情報に基づいて広告を表示する。そのため、１つの広告表示施設に対して複数の商品に関連する広告を表示することが可能である。広告表示部２０９は、本発明における広告表示手段として機能する。
【００６５】
オプション特定部２１０は、端末装置１ｂから、広告を閲覧するユーザが広告５００において指定したオプションを特定する情報をオプション指定情報として取得し、ユーザが指定したオプションを特定する。
【００６６】
オプション処理実行部２１１は、オプション特定部２１０により特定されたオプションに対応するオプション処理を実行する。
【００６７】
具体的に、オプション特定部２１０により、図１４に示すようなオプション「クーポンメールを送信」が特定された場合、オプション処理実行部２１１は、端末装置１ｂから広告を閲覧するユーザを識別するユーザＩＤを取得し、当該ユーザＩＤに基づいてユーザ情報を参照することでメールアドレスを特定する。そして、オプション処理実行部２１１は、広告５００に関連する商品のクーポンを特定したメールアドレスに送信する。なお、ユーザ情報は、ユーザＩＤをキーとして、メールアドレスやユーザが使用する端末装置の種類（例えば、ＰＣ、携帯電話等）を保有しており、本実施例では予め広告作成用情報記憶部２０１により記憶されているものとする。
【００６８】
また、オプション特定部２１０によりオプション「注文する」が特定された場合、オプション処理実行部２１１は、端末装置１ｂに注文内容入力画面を表示させる。ユーザは、端末装置１ｂを使用して所定の操作により、注文内容入力画面において商品内容（商品名、サイズ等）や配送場所を入力する。端末装置１ｂは、注文内容入力画面において入力された情報を注文情報としてサーバ３へ送信する。オプション処理実行部１１が取得した注文情報を広告表示施設の端末装置に送信する等により、商品の注文は完了する。
【００６９】
なお、オプション処理実行部２１１により実行されるオプション処理はこれに限定されるものではなく、例えば「クーポン内容をコンビニエンスストアに送信してプリントアウトする」等任意に設定することができる。
【００７０】
[広告作成方法]
次に、広告作成ユニット２００により、広告の作成及び掲載を希望するユーザが素材情報のみからなる広告情報を作成し、当該広告情報に基づいて広告を表示する方法について説明する。
【００７１】
広告の作成及び掲載を希望するユーザは、まず、端末装置１ａを使用し、広告に関連する施設を含む地図の表示をサーバ３に要求する。広告作成ユニット２００の地図表示部２０２は、端末装置１ａから地図表示の要求を取得すると、広告作成用情報記憶部２０１に記憶されている地図情報を送信する。端末装置１ａは、取得した地図情報に基づいて、画面に図７に示すような施設を含む地図を表示する。
【００７２】
端末装置１ａの画面に地図が表示されると、ユーザは所定の操作により、広告に関連する施設を当該地図上で指定すると共に、広告入力画面の表示を要求する。つまり、端末装置１ａは、ユーザが地図上で指定した施設を特定する情報を広告作成施設指定情報としてサーバ３へ送信すると共に、広告入力画面の表示を要求する。
【００７３】
広告入力画面の要求方法としては、４つの方法が考えられる。第１方法は、端末装置１ａにおいて、例えば広告入力モードボタンを押下することで予め広告入力モードに設定しておき、地図上で施設を指定すると、自動的にサーバ３に対して広告入力画面の表示を要求する方法である。第２の方法は、端末装置１ａにおいて、地図上で施設を指定した後に、例えば広告入力ボタンを押下することで、サーバ３に対して広告入力画面の表示を要求する方法である。第３の方法は、端末装置１ａにおいて、地図上で施設を指定した後に、右クリックにより広告入力ボタンを呼び出して選択実行することで、サーバ３に対して広告入力画面の表示を要求する方法である。第４の方法は、端末装置１ａにおいて、地図上で施設を指定した後に、右クリックメニューを表示させ、メニューの「この位置に広告を掲載する」を選択することで、サーバ３に対して広告入力画面の表示を要求する方法である。なお、広告入力画面の要求方法は、これに限定されるものではなく任意に設定することができる。
【００７４】
広告作成ユニット２００の広告作成施設特定部２０３は、端末装置１ａから取得した広告作成施設指定情報に基づいて、ユーザが指定した広告作成施設を特定する。また、広告入力画面表示部２０４は、端末装置１ａの地図上で特定した広告作成施設と関連付けて、図８に示すような広告入力画面４００を表示させる。即ち、端末装置１ａは、広告入力画面４００に関する情報を取得し、画面の地図上に図８に示すような広告入力画面４００を表示する。
【００７５】
ユーザは、端末装置１ａを使用した所定の操作により、広告入力画面４００においてリスト入力ボタン４１を選択する。リスト入力ボタン４１が選択されたという情報を取得すると、広告入力画面表示部２０４は、リスト情報を端末装置１ａへ送信する。端末装置１ａは、図９に示すように、広告入力画面４００においてユーザが指定した項目毎に予め用意されたリスト情報を表示する。ユーザは、端末装置１ａを使用した所定の操作により、リスト情報から任意の素材情報を選択し、指定した項目及び選択した素材情報を関連付けた項目選択情報をサーバ３へ送信する。広告入力画面表示部２０４は、ユーザによりリスト情報から任意の素材情報が選択されると、図１０に示すように、選択された素材情報を指定された項目に対応付けた広告入力画面４００を表示する。
【００７６】
なお、ユーザは、リスト入力以外にもＪＡＮコードによるコード入力や数字のみによる価格入力が可能であるが、上述したため、便宜上説明は省略する。
【００７７】
項目選択部２０５は、端末装置１ａから取得した項目選択情報に基づいて、リスト情報から各項目に対応する素材情報を選択する。続いて、広告情報作成部２０６は、項目選択部２０５により選択された各項目に対応する素材情報のみに基づいて、掲載する広告の基になる広告情報を作成する。さらに、広告情報記憶部２０７は、図１３に示すように、広告作成施設特定部２０３により特定された広告作成施設と、広告情報作成部２０６により作成された広告情報とを対応付けて記憶する。
【００７８】
一方、広告を閲覧するユーザは、まず、端末装置１ｂを使用し、広告を閲覧したい施設を含む地図をサーバ３に要求する。広告作成ユニット２００の地図表示部２０２は、端末装置１ｂからの要求を取得し、地図情報を送信する。端末装置１ｂは、取得した地図情報に基づいて、画面に図７に示すような施設を含む地図を表示する。
【００７９】
端末装置１ｂの画面に地図が表示されると、ユーザは所定の操作により、広告を閲覧したい施設を当該地図上で指定する。端末装置１ｂは、ユーザが地図上で指定した施設を特定する情報を広告表示施設指定情報としてサーバ３へ送信する。広告作成ユニット２００の広告表示施設特定部２０８は、端末装置１ｂから取得した広告表示施設指定情報に基づいて、ユーザが指定した広告表示施設を特定する。広告表示部２０９は、広告情報記憶部２０７により記憶されている図１３に示すような情報から、特定された広告表示施設に対応する広告情報を抽出する。そして、広告表示部２０９は、抽出した広告情報を端末装置１ｂに送信することで、図１４に示すように、端末装置１ｂの画面の地図上で広告表示施設と関連付けて広告５００を表示させる。即ち、端末装置１ｂは、広告５００に関する情報を取得し、画面の地図上に図１４に示すような広告を表示する。
【００８０】
[広告作成処理]
次に、本実施例による広告作成処理について図１５を参照して説明する。図１５は、本実施例による広告作成処理のフローチャートである。広告作成ユニット２００は、サーバ３の構成要素により構成されるものであって、広告作成処理は、図２に示すＣＰＵ１２がメモリ１３に記憶されたプログラムを実行することにより実現される。
【００８１】
なお、図１５における広告作成処理は、リスト入力により選択された素材情報のみに基づいて広告情報を作成するものとする。
【００８２】
広告の作成及び掲載を希望するユーザは、まず、端末装置１ａを使用し、広告に関連する施設を含む地図をサーバ３に要求する。広告作成ユニット２００の地図表示部２０２は、端末装置１ａからの要求を取得し、対応する地図情報を送信する。端末装置１ａは、取得した地図情報に基づいて、画面に図７に示すような施設を含む地図を表示する。
【００８３】
端末装置１ａの画面に地図が表示されると、ユーザは所定の操作により、広告に関連する施設を当該地図上で指定すると共に、広告入力画面の表示を要求する。つまり、端末装置１ａは、ユーザが地図上で指定した施設を特定する情報を広告作成施設指定情報としてサーバ３へ送信すると共に、広告入力画面の表示を要求する。
【００８４】
広告作成ユニット２００の広告作成施設特定部２０３は、端末装置１ａから広告作成施設指定情報を取得し、ユーザが指定した広告作成施設を特定する（ステップＳ１）。また、広告入力画面表示部２０４は、端末装置１ａの地図上で広告作成施設特定部２０３により特定された広告作成施設と関連付けて、図８に示すような広告入力画面４００を表示させる（ステップＳ２）。即ち、端末装置１ａは、広告入力画面４００に関する情報を取得し、画面の地図上に図８に示すような広告入力画面４００を表示する。
【００８５】
ユーザは、端末装置１ａを使用した所定の操作により、広告入力画面４００においてリスト入力ボタン４１を選択する。リスト入力ボタン４１が選択されたという情報を取得すると、広告入力画面表示部２０４は、リスト情報を端末装置１ａへ送信する（ステップＳ３）。
【００８６】
リスト情報を受信した端末装置１ａは、広告入力画面４００においてユーザが指定した項目毎に予め用意されているリスト情報を表示する。具体的に、ユーザが端末装置１ａを使用した所定の操作により、図８に示す広告入力画面４００において商品名項目３０を指定したとする。すると、端末装置１ａは、商品名項目に予め対応付けされている商品名リスト情報に基づいて、図９に示すように、商品名リスト情報４１０を表示する。
【００８７】
ユーザは、端末装置１ａを使用した所定の操作により、リスト情報から任意の素材情報を選択する。すると、端末装置１ａは、広告入力画面４００においてユーザが指定した項目と、リスト情報からユーザが選択した素材情報とを関連付けた項目選択情報をサーバ３へ送信する。具体的に、ユーザが端末装置１ａを使用した所定の操作により、図９に示す商品名リスト情報４１０において「鯛」を選択したとする。すると、端末装置１ａは、広告入力画面４００においてユーザが指定した項目「商品名項目」と、商品名リスト４１０からユーザが選択した情報「鯛」とを関連付けた項目選択情報をサーバ３へ送信する。
【００８８】
広告入力画面表示部２０４は、端末装置１ａから取得した項目選択情報に基づいて、広告入力画面４００においてユーザが指定した項目に、ユーザが選択した素材情報を表示する。具体的に、広告入力画面４００においてユーザが指定した項目「商品名項目」と、商品名リスト４１０からユーザが選択した素材情報「鯛」とを関連付けた項目選択情報を取得した場合、広告入力画面表示部２０４は、図１０に示すように、広告入力画面４００において商品名項目３０に「鯛」と表示させる。即ち、端末装置１ａは、図１０に示すような広告入力画面４００を表示する。
【００８９】
項目選択部２０５は、端末装置１ａから項目選択情報を取得し、当該項目選択情報に基づいてリスト情報から各項目に対応する素材情報を選択する（ステップＳ４）。具体的に、広告入力画面４００においてユーザが指定した項目「商品名項目」と、商品名リスト４１０からユーザが選択した素材情報「鯛」とを関連付けた項目選択情報を取得した場合、項目選択部２０５は、商品名リスト情報から「商品名項目」に対応する素材情報として「鯛」を選択する。続いて、広告情報作成部２０６は、項目選択部２０５により選択された各項目に対応する素材情報のみに基づいて、掲載する広告の基になる広告情報を作成する（ステップＳ５）。さらに、広告情報記憶部２０７は、図１３に示すように、広告作成施設特定部２０３により特定された広告作成施設と、広告情報作成部２０６により作成された広告情報とを対応付けて記憶する（ステップＳ６）。これにより、広告作成処理は完了する。
【００９０】
[広告表示処理]
次に、本実施例による広告作成処理について図１６を参照して説明する。図１６は、本実施例による広告表示処理のフローチャートである。広告作成ユニット２００は、サーバ３の構成要素により構成されるものであって、広告表示処理は、図２に示すＣＰＵ１２がメモリ１３に記憶されたプログラムを実行することにより実現される。
【００９１】
広告を閲覧するユーザは、まず、端末装置１ｂを使用し、広告を閲覧したい施設を含む地図をサーバ３に要求する。広告作成ユニット２００の地図表示部２０２は、端末装置１ｂからの要求を取得し、対応する地図情報を送信する。端末装置１ｂは、取得した地図情報に基づいて、画面に図７に示すような施設を含む地図を表示する。
【００９２】
端末装置１ｂの画面に地図が表示されると、ユーザは所定の操作により、広告を閲覧したい施設を当該地図上で指定する。端末装置１ｂは、ユーザが地図上で指定した施設を特定する情報を広告表示施設指定情報としてサーバ３へ送信する。
【００９３】
広告作成ユニット２００の広告表示施設特定部２０８は、端末装置１ｂから広告表示施設指定情報を取得し、ユーザが指定した広告表示施設を特定する（ステップＳ１１）。広告表示部２０９は、広告情報記憶部２０７により記憶されている図１３に示すような情報から、特定された広告表示施設に対応する広告情報を抽出する（ステップＳ１２）。そして、広告表示部２０９は、抽出した広告情報を端末装置１ｂに送信することで、図１４に示すように、端末装置１ｂの画面の地図上で広告表示施設と関連付けて広告５００を表示させる（ステップＳ１３）。即ち、端末装置１ｂは、広告５００に関する情報を取得し、画面の地図上に図１４に示すような広告を表示する。これにより広告作成処理は完了する。
【００９４】
なお、本実施例においてユーザは、広告入力画面４００においてリスト入力ボタン４１を選択した後に、各項目を指定することでリスト情報を表示することとしているが、本発明はこれに限定されるものではなく、広告入力画面４００において各項目を指定した後に、リスト入力ボタン４１を選択することでリスト情報を表示することとしてもよい。
【００９５】
また、本実施例では、リスト入力において、ユーザにより指定された項目毎に予め用意されたリスト情報を表示することとしている。しかし、本発明はこれに限定されるものではなく、ユーザによりリスト入力ボタン４１が選択された場合に、全ての項目に対応するリスト情報を一括表示することとしてもよい。即ち、予め検閲済の全ての素材情報を一括表示することとしてもよい。
【００９６】
また、本実施例では、広告作成処理の前段階で予め施設情報が登録されているが、本発明はこれに限定されるものではなく、広告作成処理の中で施設情報を登録することとしてもよい。この場合、リスト情報に既に検閲済の施設に関する素材情報が含まれており、ユーザが広告入力画面において素材情報から施設名や施設アイコンを選択することになる。これによれば、地図上で、広告を出稿している施設の位置にのみ施設アイコンが表示される。よって、広告を閲覧するユーザは、地図から容易にどの施設が広告を出稿しているかを把握することができる。
【００９７】
また、本実施例では、地図上の施設の位置には施設アイコンのみが表示されており、広告を閲覧するユーザによって施設が指定された場合に初めて広告アイコンが表示される。しかし、本発明はこれに限定されるものではなく、地図上の施設の位置に施設アイコンと共に広告アイコンを表示することとしてもよい。この場合、広告アイコンが指定された際に、広告情報に基づいて、広告アイコン以外の広告（商品名や価格等）、即ち広告の詳細内容を表示することとしてもよい。これによれば、広告を閲覧するユーザは、地図から容易に興味ある広告を発見して、詳細内容を確認することができる。
【００９８】
また、本実施例では記載していないが、地図上に表示される施設アイコン及び広告アイコンは、更新日時に基づいて強調表示（例えば、点滅表示やポップアップ表示等）することとしてもよい。例えば、閲覧時刻と更新時刻が予め設定された時間より近い場合に、施設アイコンや広告アイコンを強調表示することが挙げられる。これにより、広告の場所や鮮度をユーザに分かりやすく伝えることができる。
【００９９】
また、本実施例では、広告作成施設指定情報が施設ＩＤを有しており、広告情報記憶部２０７は、広告作成施設の施設ＩＤと対応付けて広告情報を記憶することとしているが、本発明はこれに限定されるものではなく、広告作成施設指定情報が施設の位置座標を有している場合、広告情報記憶部２０７は、広告作成施設の位置座標と対応付けて広告情報を記憶することとしてもよい。
【０１００】
また、本実施例では記載していないが、広告作成ユニット２００により各アイコンの属性を管理し、アイコンリスト情報に、１つの属性に対して複数種類のアイコンが用意されていることとしてもよい。アイコンの属性としては、例えば商品種類（「ゲーム機」、「ピザ」等）が挙げられる。この場合、広告の作成及び掲載を希望するユーザは、広告作成処理においてアイコンリスト情報からアイコン自体ではなく、アイコンの属性を選択する。すると、広告情報作成部２０６は、アイコンの属性を含む広告情報を作成する。このように作成された広告情報に基づいて、広告表示部２０９は、広告を閲覧するユーザが使用する端末装置１ｂの種類に応じて表示するアイコンを変化させることができる。具体的には、スペックのよいＰＣには詳細なアイコンを表示させ、スペックの悪い携帯電話にはデフォルメされたアイコンを表示させること等が可能となる。
【０１０１】
また、本実施例では、図１に示すように、端末装置１及びサーバが別個に構成されているが、本発明はこれに限定されるものではなく、１つの広告作成装置として構成することも可能である。そのため、本実施例において広告作成ユニット２００は、サーバ３の構成要素により構成されることとしているが、本発明はこれに限定されるものではなく、例えば、ＰＣやカーナビゲーション装置の構成要素により構成されることとしてもよい。
【０１０２】
以上述べたように本実施例の広告作成装置によれば、広告情報の作成において、ユーザによる文字入力操作ステップを備えない仕組みにすることにより、ユーザは、予め閲覧済の素材情報によってのみ広告情報を作成する。そのため、いかがわしい広告が作成されることはなく、従来広告作成システムの運営者が広告の掲載前に行っていた掲載可否の選別ステップを不要とすることができる。換言すると、広告作成システムの運営者は、新たな商品名、用語、アイコン等が追加された場合にのみ検閲を実行すればよい。そのため、ローコストで、子供が見ても問題のない全年齢向けの広告を容易に作成することができる。
【０１０３】
また、本実施例の広告作成装置によれば、予め用意された検閲済のアイコンによって広告情報を作成するため、デザインの統一が容易に可能である。これにより、広告イメージの統一を図ることができ、閲覧するユーザが興味を惹かれやすい広告を作成することができる。
【図面の簡単な説明】
【０１０４】
【図１】広告作成システムの概略構成を示す図である。
【図２】サーバの構成を示す図である。
【図３】広告作成ユニットの機能構成を示すブロック図である。
【図４】施設情報のデータ構造を模式的に示す図である。
【図５】ＪＡＮコード情報のデータ構造を模式的に示す図である。
【図６】リスト情報を説明する図である。
【図７】地図の表示例である。
【図８】広告入力画面の表示例である。
【図９】商品名リスト情報の表示例である。
【図１０】選択された素材情報が対応付けられた広告入力画面の表示例である。
【図１１】ＪＡＮコードが入力された広告入力画面の表示例である。
【図１２】特定された情報が対応付けられた広告入力画面の表示例である。
【図１３】広告情報記憶部のデータ構造を模式的に示す図である。
【図１４】広告の表示例である。
【図１５】広告作成処理のフローチャートである。
【図１６】広告表示処理のフローチャートである。
【符号の説明】
【０１０５】
１１  システムバス
１２  ＣＰＵ
１３  メモリ
１４  キーボード
１５  座標指示デバイス
１６  ディスプレイ
１７  データ通信ユニット
１８  データベース
１００  広告作成システム
【図１】
2008234303.tif 000003
【図２】
2008234303.tif 000004
【図３】
2008234303.tif 000005
【図４】
2008234303.tif 000006
【図５】
2008234303.tif 000007
【図６】
2008234303.tif 000008
【図７】
2008234303.tif 000009
【図８】
2008234303.tif 000010
【図９】
2008234303.tif 000011
【図１０】
2008234303.tif 000012
【図１１】
2008234303.tif 000013
【図１２】
2008234303.tif 000014
【図１３】
2008234303.tif 000015
【図１４】
2008234303.tif 000016
【図１５】
2008234303.tif 000017
【図１６】
2008234303.tif 000018